(57)【要約】      （修正有）【課題】コンパクトに収納可能な扇風機を提供する。【解決手段】扇風機は基台１、支柱２、扇風機本体３、電源コード４を含む。基台１は天板１１、底板１２を含み、底板１２に２つの第１収容溝１２２、１つの第２収容溝１２３が、また基台１の側面には電気コネクタ１４が設けられる。支柱２は下ポール２１、上ポール２２を含む。下ポール２１が第１連結部２１１、第２連結部２１２を有し、第１連結部２１１が基台１と結合又は分離できる。上ポール２２は第３連結部２２１、第４連結部２２２を有し、互いに結合又は分離できる。下ポール２１、上ポール２２は２つの第１収容溝１２２のどちらにも各々収納可能である。扇風機本体３は連結ポール３２を含み、連結ポール３２に第５連結部３２１が設けられ、第５連結部３２１、第４連結部２２２が互いに結合又は分離できる。電源コード４の一端は電気コネクタ１４に電気的に接続され、第２収容溝１２３内に収納可能である。【選択図】図１
0003227917.tif 000002
【実用新案登録請求の範囲】
【請求項１】
天板と、底板と、側面とを含み、前記底板は、前記天板の下方に設けられ、底面を有し、前記底面において上向きに凹むように２つの第１収容溝、１つの第２収容溝が設けられ、前記側面には電気コネクタが設けられる基台と、
下ポールと、上ポールとを含み、前記下ポールは下部に第１連結部を有し、前記下ポールは上部に第２連結部を有し、前記第１連結部は前記基台と結合又は分離することができ、前記上ポールは下部に第３連結部を有し、前記上ポールは上部に第４連結部を有し、前記第３連結部は前記下ポールの前記第２連結部と結合又は分離することができ、前記下ポール、及び前記上ポールは、前記基台の前記２つの第１収容溝のどちらにも各々収納可能な支柱と、
ケーシングと、連結ポールと、制御回路基板と、モータと、羽根と、ファンガードとを含み、前記連結ポールは一端が前記ケーシングに接合され、前記連結ポールは他端に第５連結部が設けられ、前記第５連結部が前記支柱の前記第４連結部と結合又は分離することができ、前記制御回路基板、及び前記モータが前記ケーシング内に設けられ、前記羽根、及び前記ファンガードは、前記ケーシングの前方に設けられ、前記羽根が前記モータに連動される扇風機本体と、
一端と、他端と、少なくとも１個の電気接続装置を含み、前記一端は外部電源に接続でき、前記他端が前記基台の前記電気コネクタに電気的に接続され、電源からの電気を前記電気接続装置は前記モータ及び前記制御回路基板に入力し、前記基台の前記第２収容溝内に収納可能な電源コードとを備える、扇風機。
【請求項２】
前記基台の前記第１収容溝に第１クリップが設けられ、前記第２収容溝に第２クリップが設けられる、請求項１に記載の扇風機。
【請求項３】
前記基台の前記天板は、頂壁と、周壁とを有し、前記頂壁と前記周壁との間に収容空間を有し、前記頂壁は中央に前記支柱の前記下ポールを挿通できる挿通孔が設けられる、請求項１に記載の扇風機。
【請求項４】
前記基台の前記天板は、挿通孔を有し、前記天板の前記挿通孔に対応する前記底板の中央位置に下連結ポストが設けられ、前記下連結ポストが下ねじ部を有し、
前記第１連結部が前記下ねじ部に螺合可能な第１ねじ部をさらに有し、
前記第２連結部は前記第３連結部と、前記第３連結部は前記第２連結部と、互いに螺合可能な第２ねじ部、第３ねじ部を各々有し、
前記第４連結部が前記第５連結部と、前記第５連結部が前記第４連結部と、互いに螺合可能な第４ねじ部、第５ねじ部を各々有する、請求項１に記載の扇風機。
【請求項５】
前記基台の前記天板は、挿通孔を有し、前記天板の前記挿通孔に対応する前記底板の中央位置に下連結ポストが設けられ、前記下連結ポストが下導電性ジョイントを有し、前記電気コネクタと前記下導電性ジョイントとが前記電気接続装置を介して電気的に接続され、
前記第１連結部に第１導電性ジョイントが設けられ、前記第１導電性ジョイントは前記下導電性ジョイントと導電的に接合し、
前記第２連結部に第２導電性ジョイントが設けられ、前記第２導電性ジョイントと前記第１導電性ジョイントとは、前記電気接続装置を介して電気的に接続され、
前記第３連結部に第３導電性ジョイントが設けられ、前記第３導電性ジョイントが前記第２導電性ジョイントと導電的に接合でき、
前記第４連結部に第４導電性ジョイントが設けられ、前記第４導電性ジョイントと前記第３導電性ジョイントとは、前記電気接続装置を介して電気的に接続され、
前記第５連結部に第５導電性ジョイントが設けられ、前記第５導電性ジョイントは前記第４導電性ジョイントと導電的に接合し、
前記制御回路基板と前記モータとが、前記電気接続装置を介して前記第５導電性ジョイントに電気的に接続される、請求項１に記載の扇風機。
【請求項６】
リモコンをさらに備え、
前記基台は、第３クリップを有する第３収容溝をさらに含み、
前記リモコンは、前記基台の前記第３収容溝の内に収納されると共に前記第３クリップへの嵌着により固定される、請求項１に記載の扇風機。
【請求項７】
箱体と、２枚の発泡スチロール板とをさらに備え、
前記箱体は、収納空間を有し、
前記基台の前記第１収容溝、前記第２収容溝、前記第３収容溝には各々前記支柱、前記電源コード、前記リモコンが嵌設され、
前記２枚の発泡スチロール板は下方、上方に各々第１挟持溝、第２挟持溝を有し、
前記扇風機本体が前記第１挟持溝に挟設され、前記基台が前記第２挟持溝に挟設され、前記第１挟持溝に挟設された前記扇風機本体と、前記第２挟持溝に挟設された前記基台とが組み合わされた後、前記箱体の前記収納空間の内に収納可能な請求項６に記載の扇風機。
【考案の詳細な説明】
【技術分野】
【０００１】
本考案は、扇風機に関し、特にコンパクトに収納可能な、収納体積及び包装容積を減らすことができる扇風機に関する。
【背景技術】
【０００２】
従来の扇風機は、主に基台と、支柱と、扇風機本体と、電源コードとを備えている。前記基台が床面などに載置され、前記支柱が前記基台に立設され、前記支柱の底端が前記基台に結合される。前記扇風機本体は、前記支柱の頂端に結合され、モータと、羽根と、ファンガードとを含み、前記電源コードがモータに電気的に接続される。使用者は、前記扇風機本体を地上の適切な高さにセットして送風させることができる。
【０００３】
従来の扇風機には、使用者が前記支柱を前記基台、前記扇風機本体、前記電源コードから分離することで収納体積を減らすことができるが、分離後には多くの部品がバラバラになり、体積も取られるため収納に不便であり、スペースを大幅に削減することができなかった。
【０００４】
さらに、従来の扇風機には、前記支柱、前記基台、前記扇風機本体、前記電源コードを分解して包装箱内に入れて梱包することで容積を減らすことができるが、各部品の体積が依然として大きいまま積み重ねられることで、容積を効果的に減らすことができず、その結果保管、輸送コストが増えるという欠点があった。
【考案の概要】
【考案が解決しようとする課題】
【０００５】
本考案は、コンパクトに収納可能な、収納体積及び包装容積を減らすことができる扇風機を提供することを目的とする。
【課題を解決するための手段】
【０００６】
本考案の扇風機は、基台と、支柱と、扇風機本体と、電源コードとを備える。
前記基台が天板と、底板と、を含み、前記底板が前記天板の下方に設けられ、底面を有し、前記底面において上向きに２つの第１収容溝、１つの第２収容溝が設けられ、側面に電気コネクタが設けられる。
前記支柱は、下ポールと、上ポールとを含み、前記下ポールは下部に第１連結部を有し、前記下ポールは上部に第２連結部を有し、前記第１連結部が基台と結合又は分離することができ、前記上ポールは下部に第３連結部を有し、前記上ポールは上部に第４連結部を有し、前記第３連結部は下ポールの前記第２連結部と結合又は分離することができ、前記下ポール、及び前記上ポールは、前記基台の前記２つの第１収容溝のどちらにも各々収納可能である。
前記扇風機本体は、ケーシングと、連結ポールと、制御回路基板と、モータと、羽根と、ファンガードとを含み、前記連結ポールは一端が前記ケーシングに接合され、前記連結ポールは他端に第５連結部が設けられ、前記第５連結部が前記支柱の前記第４連結部と結合又は分離することができ、前記制御回路基板、及び前記モータが前記ケーシング内に設けられ、前記羽根、及び前記ファンガードは、前記ケーシングの前方に設けられ、前記羽根が前記モータに連動される。
前記電源コードは、一端と、他端と、少なくとも１個の電気接続装置を含み、前記一端は外部電源に接続でき、前記他端が前記基台の電気コネクタに電気的に接続され、電源からの電気を前記電気接続装置は前記モータ及び前記制御回路基板に入力し、前記基台の前記第２収容溝内に収納可能である。
【０００７】
好ましくはさらに、前記基台の前記第１収容溝に第１クリップが設けられ、第２収容溝に第２クリップが設けられる。
【０００８】
あるいは好ましくは、前記基台の前記天板は、挿通孔をさらに有し、天板の挿通孔に対応する前記底板の中央位置に下連結ポストが設けられ、前記下連結ポストが下ねじ部を有する。
前記支柱の前記第１連結部が前記下ねじ部に螺合できる第１ねじ部をさらに有する。
前記第２連結部は前記第３連結部と、前記３連結部は前記第２連結部と、互いに螺合可能な第２ねじ部、第３ねじ部を各々有する。
前記第４連結部は前記第５連結部と、前記第５連結部は前記第４連結部と、互いに螺合可能な第４ねじ部、第５ねじ部を各々有する。
【０００９】
あるいは好ましくは、前記基台の前記天板は、挿通孔をさらに有し、前記天板の前記挿通孔に対応する前記底板の中央位置に下連結ポストが設けられ、前記下連結ポストが下導電性ジョイントを有し、前記電気コネクタと前記下導電性ジョイントとが前記電気接続装置を介して電気的に接続される。
前記第１連結部に第１導電性ジョイントが設けられ、前記第１導電性ジョイントは前記下導電性ジョイントと導電的に接合する。
前記第２連結部に第２導電性ジョイントが設けられ、前記第２導電性ジョイントと前記第１導電性ジョイントとは、前記電気接続装置を介して電気的に接続される。
前記第３連結部に第３導電性ジョイントが設けられ、前記第３導電性ジョイントが前記第２導電性ジョイントと導電的に接合できる。
前記第４連結部に第４導電性ジョイントが設けられ、前記第４導電性ジョイントと第３導電性ジョイントとは、前記電気接続装置を介して電気的に接続される。
前記第５連結部に第５導電性ジョイントが設けられ、前記第５導電性ジョイントは第４導電性ジョイントと導電的に接合する。
前記制御回路基板と前記モータとが、前記電気接続装置を介して前記第５導電性ジョイントに電気的に接続される。
【００１０】
あるいは好ましくは、本考案の扇風機は、リモコンをさらに備える。
前記基台は、第３クリップを有する第３収容溝をさらに含む。
前記リモコンは、前記基台の前記第３収容溝の内に収納されると共に前記第３クリップへの嵌着により固定される。
【００１１】
さらに好ましくは、本考案の扇風機はまた、箱体と、２枚の発泡スチロール板とをさらに備える。
前記箱体は、収納空間を有する。
前記基台の前記第１収容溝、前記第２収容溝、前記第３収容溝には各々前記支柱、前記電源コード、前記リモコンが嵌設される。
前記２枚の発泡スチロール板は下方、上方に各々第１挟持溝、第２挟持溝を有する。
前記扇風機本体が前記第１挟持溝に挟設され、前記基台が前記第２挟持溝に挟設され、前記第１挟持溝に挟設された前記扇風機本体と、前記第２挟持溝に挟設された前記基台とが組み合わされた後、前記箱体の前記収納空間の内に収納可能である。
【００１２】
本考案の扇風機を組み立てる場合、使用者は支柱を基台及び扇風機本体と結合し、下導電性ジョイントを第１、２、３、４、５導電性ジョイントに電気的に接続させ、電源コードを基台の電気コネクタに接続することにより、電源コードを通じて外部電源を入力すると、羽根の動作を制御できる。
【００１３】
（考案の効果）
本考案の扇風機を使用しない場合、支柱の第１連結部を基台の下連結ポストから分離し、支柱の第２、３連結部を分離し、前記支柱の第４連結部と連結ポールの第５連結部とを分離させることができる。また、前記支柱の下、上ポールが基台の第１収容溝に収納されると共に第１クリップへの嵌着により固定され、電源コードが第２収容溝に収容されると共に第２クリップへの嵌着により固定され、リモコンが第３収容溝内に収納されると共に第３クリップへの嵌着により固定され、扇風機本体と基台を積み重ねた後の体積を大幅に縮小させることができ、便利に収納可能との効果を与える。
【図面の簡単な説明】
【００１４】
【図１】本考案の分解斜視図である。
【図２】本考案の組立後の斜視図である。
【図３】本考案の組立後の側面断面図である。
【図４】本考案の支柱を基台に収めた状態を示す斜視図である。
【図５】本考案の図４のＡ−Ａ線に沿った側面断面図である。
【図６】本考案の図４のＢ−Ｂ線に沿った側面断面図である。
【図７】本考案の図４のＣ−Ｃ線に沿った側面断面図である。
【図８】本考案の収納状態を示す側面図である。
【図９】本考案の梱包方法を示す斜視図である。
【図１０】本考案の梱包状態を示す断面図である。
【考案を実施するための形態】
【００１５】
図１〜図７を参照する。
本考案は、基台１と、支柱２と、扇風機本体３と、電源コード４と、リモコン５とを備える。前記基台１が床面に載置され、天板１１と、底板１２とを含む。前記天板１１が頂壁１１１と、周壁１１２と、を含み、頂壁１１１と周壁１１２との間に収容空間１１３を有し、頂壁１１１の中央に挿通孔１１４が設けられる。
【００１６】
前記底板１２は、天板１１の下方に設けられると共に天板１１と固着され、底面１２１を含み、前記底面１２１から上方に向かって収容空間１１３に対応する位置に２つの第１収容溝１２２、１つの第２収容溝１２３、１つの第３収容溝１２４が設けられ、前記第１、２、３収容溝１２２、１２３、１２４に各々第１、２、３クリップ１２５、１２６、１２７が設けられる。
前記底板１２中央の天板１１の挿通孔１１４に対応する位置に下連結ポスト１３が設けられ、前記下連結ポスト１３は、下ねじ部１３１を有し、中央に下導電性ジョイント１３２を有し、底板１２の側面に電気コネクタ１４が設けられ、前記電気コネクタ１４と下導電性ジョイント１３２とが電気接続装置１５を介して電気的に接続される。
【００１７】
支柱２は、下ポール２１と、上ポール２２と、を含み、前記下ポール２１の下部に第１連結部２１１を有し、上部に第２連結部２１２を有する。
前記第１連結部２１１が第１ねじ部２１３を有し、基台１の下連結ポスト１３の下ねじ部１３１と結合又は分離することができ、また第１連結部２１１に第１導電性ジョイント２１４が設けられ、前記第１導電性ジョイント２１４が下導電性ジョイント１３２と導電的に接合できる。
前記第２連結部２１２は、第２ねじ部２１５を有し、また第２導電性ジョイント２１６が設けられており、前記第２導電性ジョイント２１６と第１導電性ジョイント２１４とが電気接続装置２１７を介して電気的に接続される。
【００１８】
前記上ポール２２の下部に第３連結部２２１を有し、上部に第４連結部２２２を有する。
前記第３連結部２２１が第３ねじ部２２３を有し、下ポール２１の第２連結部２１２の第２ねじ部２１５と結合又は分離でき、また第３連結部２２１に第３導電性ジョイント２２４が設けられ、前記第３導電性ジョイント２２４は、第２導電性ジョイント２１６と結合することができる。
前記第４連結部２２２は、第４ねじ部２２５を有し、また第４導電性ジョイント２２６が設けられ、前記第４導電性ジョイント２２６と第３導電性ジョイント２２４とが電気接続装置２２７を介して電気的に接続される。
前記下ポール２１、上ポール２２は、基台１の１つの第１収容溝１２２内にそれぞれ収納されると共に第１クリップ１２５への嵌着により固定される。
【００１９】
扇風機本体３は、ケーシング３１と、連結ポール３２と、制御回路基板（図示せず）と、モータ３３と、羽根３４と、ファンガード３５とを含む。
前記連結ポール３２の一端がケーシング３１に接合され、結合角度を調整でき、前記連結ポール３２の他端に第５連結部３２１が設けられる。
前記第５連結部３２１が第４連結部２２２の第４ねじ部２２５と螺合できる第５ねじ部３２２を有し、また第５導電性ジョイント３２３が設けられ、前記第５導電性ジョイント３２３が第４導電性ジョイント２２６と導電的に接合できる。
前記制御回路基板（図示せず）、モータ３３がケーシング３１内に設けられ、電気接続装置３２４を介して第５導電性ジョイント３２３に電気的に接続される。前記羽根３４、ファンガード３５は、ケーシング３１の前方に設けられ、羽根３４がモータ３３と連動する。
【００２０】
電源コード４の一端は、外部電源に接続でき、他端が基台１の電気コネクタ１４と電気的に接続し、前記電源コード４が基台１の第２収容溝１２３に収納されると共に第２クリップ１２６への嵌着により固定される。
【００２１】
リモコン５は、前記制御回路基板の動作を制御でき、前記リモコン５を基台１の第３収容溝１２４に収納すると共に第３クリップ１２７への嵌着により固定することができる。
【００２２】
本考案の組立時、使用者は、支柱２を基台１の挿通孔１１４に挿通して基台１の上方に設け、第１連結部２１１の第１ねじ部２１３と下連結ポスト１３の下ねじ部１３１を螺合させ、前記第２、３連結部２１２、２２１の第２、３ねじ部２１５、２２３を螺合させ、下導電性ジョイント１３２を第１、２、３、４導電性ジョイント２１４、２１６、２２４、２２６と電気的に接続させる。
また連結ポール３２の第５連結部３２１の第５ねじ部３２２を支柱２の第４連結部２２２の第４ねじ部２２５と螺合させ、第４、５導電性ジョイント２２６、３２３を電気的に接続させる。
電源コード４は基台１の電気コネクタ１４に接続され、電源コード４を通じて外部電源を入力すると、羽根３４の動作を制御することができる。
【００２３】
図４〜図７を参照する。
本考案を使用しない場合、使用者は、支柱２の第１連結部２１１を基台１の下連結ポスト１３から分離し、支柱２の第２、３連結部２１２、２２１を分離し、支柱２の第４連結部２２２と連結ポール３２の第５連結部３２１を分離することができる。
その後、使用者は前記支柱２の下、上ポール２１、２２を、図４、図５に示すように、基台１の第１収容溝１２２に収納すると共に第１クリップ１２５への嵌着により固定する。また図４、図６に示すように、電源コード４を第２収容溝１２３に収納すると共に第２クリップ１２６への嵌着により固定する。さらに、図４、図７に示すように、リモコン５を第３収容溝１２４に収納すると共に第３クリップ１２７への嵌着により固定する。
これにより、図８に示すように、扇風機本体３と基台１を積み重ねた後の体積を大幅に縮小することができ、収納に便利な効果を奏する。
【００２４】
図４、図９、図１０を参照する。
本考案は、箱体６と、２枚の発泡スチロール板７とをさらに備える。
前記箱体６が収納空間６１を有し、前記底板１２の第１、２、３収容溝１２２、１２３、１２４には各々支柱２、電源コード４、リモコン５が嵌設される。
前記２枚の発泡スチロール板７は下方、上方に各々第１、２挟持溝７１、７２を有し、扇風機本体３が２枚の発泡スチロール板７の下方の第１挟持溝７１に挟設され、また前記基台１が発泡スチロール板７の上方の第２挟持溝７２に挟設され、それぞれ収納空間６１に入れられ、さらに箱体６を封止する。これにより、収納容積を大幅に減らすことができ、また積載上及び輸送上の利便性という効果を与えることができる。
【００２５】
以上、本考案は、収納しやすく、体積及び包装容積を減らすことができるという効果を持つ。電気接続装置は電線であってもよい。電源コードから入力された電力は、電線を介してモータ及び制御回路基板に入力される。
上記の実施例はあくまでも本考案の一例であり、本考案を限定するものではない。本考案の精神に基づいて行われる、本考案の実用新案登録請求の範囲の均等範囲内でのいかなる技術上の変更も、本考案の実用新案登録請求の範囲に包含される。
【符号の説明】
【００２６】
１      基台
１１      天板
１１１      頂壁
１１２      周壁
１１３      収容空間
１１４      挿通孔
１２      底板
１２１      底面
１２２      第１収容溝
１２３      第２収容溝
１２４      第３収容溝
１２５      第１クリップ
１２６      第２クリップ
１２７      第３クリップ
１３      下連結ポスト
１３１      下ねじ部
１３２      下導電性ジョイント
１４      電気コネクタ
１５      電気接続装置
２      支柱
２１      下ポール
２１１      第１連結部
２１２      第２連結部
２１３      第１ねじ部
２１４      第１導電性ジョイント
２１５      第２ねじ部
２１６      第２導電性ジョイント
２１７      電気接続装置
２２      上ポール
２２１      第３連結部
２２２      第４連結部
２２３      第３ねじ部
２２４      第３導電性ジョイント
２２５      第４ねじ部
２２６      第４導電性ジョイント
２２７      電気接続装置
３      扇風機本体
３１      ケーシング
３２      連結ポール
３２１      第５連結部
３２２      第５ねじ部
３２３      第５導電性ジョイント
３２４      電気接続装置
３３      モータ
３４      羽根
３５      ファンガード
４      電源コード
５      リモコン
６      箱体
６１      収納空間
７      発泡スチロール板
７１      第１挟持溝
７２      第２挟持溝
【図１】
0003227917.tif 000003
【図２】
0003227917.tif 000004
【図３】
0003227917.tif 000005
【図４】
0003227917.tif 000006
【図５】
0003227917.tif 000007
【図６】
0003227917.tif 000008
【図７】
0003227917.tif 000009
【図８】
0003227917.tif 000010
【図９】
0003227917.tif 000011
【図１０】
0003227917.tif 000012